(57)【特許請求の範囲】
【請求項１】
上位装置から送信されてきた第１の信号光を第２の信号光に変換して光伝送路へ送出する光送信装置と、前記光伝送路を経由して受信された前記第２の信号光を第３の信号光に変換して下位装置へ送出する光受信装置とを備える光伝送装置であって、
前記光送信装置は、
前記上位装置から送信されてきた前記第１の信号光に発生した障害を検出すると共に前記第２の信号光の送出を停止する一方、一種類の前記障害又は同時に発生する複数種類の前記障害に対応してそれぞれ設定されている周波数に変調された一種類又は複数種類の障害情報信号光を生成して前記光伝送路へ送出する障害情報送信手段が設けられ、
前記光受信装置は、
前記光伝送路を経由して前記障害情報信号光を受信したとき、前記第１の信号光に発生した障害の種類を検出すると共に前記下位装置に対する前記各障害情報信号光の送出を停止する障害情報受信手段が設けられていることを特徴とする光伝送装置。
【請求項２】
前記障害情報送信手段は、
前記上位装置からデータ信号にクロック信号が多重されて送信されてきた前記第１の信号光を第１の電気信号に変換する第１の光／電気変換回路と、
前記第１の電気信号から第１のデータ信号及び第１のクロック信号を再生する第１のクロックデータ再生回路と、
前記第１の信号光、第１のデータ信号及び第１のクロック信号を監視して、前記障害の種類毎に障害検出信号を出力する障害検出手段と、
前記各障害検出信号のうちの一つ又は同時に発生する複数の障害検出信号に対応して、それぞれ異なる周波数の第１の障害情報電気信号を発生する周波数発生回路と、
前記各障害検出信号が出力されたとき、前記第１のクロック信号及び前記各第１の障害情報電気信号を通過させる信号通過回路と、
該信号通過回路を通過した前記各第１の障害情報電気信号に前記第１のクロック信号を多重すると共に前記各障害情報信号光に変換する第１の電気／光変換回路とから構成され、
前記障害情報受信手段は、
前記光伝送路を経由して受信された前記各障害情報信号光を第２の障害情報電気信号に変換する第２の光／電気変換回路と、
前記第２の障害情報電気信号から第２のクロック信号を再生する第２のクロック再生回路と、
前記第２のクロック信号の周波数を検出して該周波数が前記各第１の障害情報電気信号の周波数であるか否かを判定し、該各第１の障害情報電気信号の周波数である場合、第２の障害検出信号を出力する第２の周波数検出回路と、
前記第２の障害検出信号が出力されたとき、前記下位装置に対する前記各障害情報信号光の送出を停止する光出力制御回路とから構成されていることを特徴とする請求項１記載の光伝送装置。
【請求項３】
前記第２の周波数検出回路は、検出された前記第２のクロック信号の周波数に基づいて、前記障害の種類を表す障害判定信号を生成する構成とされ、
前記障害情報受信手段に、前記障害判定信号に基づいて前記障害の種類を表示する表示手段が設けられていることを特徴とする請求項２記載の光伝送装置。
【請求項４】
上位装置から送信されてきた第１の信号光を第２の信号光に変換して光伝送路へ送出する光送信装置と、前記光伝送路を経由して受信された前記第２の信号光を第３の信号光に変換して下位装置へ送出する光受信装置とを備える光伝送装置光伝送装置に用いられ、
前記光送信装置が、前記上位装置から送信されてきた前記第１の信号光に発生した障害を検出すると共に前記第２の信号光の送出を停止する一方、一種類の前記障害又は同時に発生する複数種類の前記障害に対応してそれぞれ設定されている周波数に変調された一種類又は複数種類の障害情報信号光を生成して前記光伝送路へ送出する障害情報送信処理を行い、
前記光受信装置が、前記光伝送路を経由して前記障害情報信号光を受信したとき、前記第１の信号光に発生した障害の種類を検出すると共に前記下位装置に対する前記各障害情報信号光の送出を停止する障害情報受信処理を行うことを特徴とする障害情報伝送方法。
【発明の詳細な説明】
【技術分野】
【０００１】
この発明は、光伝送装置及び該光伝送装置に用いられる障害情報伝送方法に係り、特に、上位装置から送信される複数種類のビットレートの信号光の伝送に対応し、同上位装置から送信されてきた信号光に障害が発生したとき、下位装置に対する同信号光の送出を停止する場合に用いて好適な光伝送装置及び該光伝送装置に用いられる障害情報伝送方法に関する。
【背景技術】
【０００２】
インターネットなどの普及により、近年、伝送が必要な情報量が大幅に増加している。このような場合に用いられる光伝送装置は、波長の異なる光は互いに干渉しないという性質を利用し、複数のデータを波長の異なる複数の搬送用の信号光によって多重化して合波信号光を光ファイバ・ケーブルで伝送するものであり、各データを個別の光ファイバ・ケーブルを経由して伝送する場合に比較して１本の光ファイバ・ケーブル上で伝送する情報量を飛躍的に増大させることができる。
【０００３】
この種の光伝送装置は、従来では、たとえば図５に示すものがあった。
この光伝送装置１は、同図に示すように、光送信装置２と、光ファイバ３と、光受信装置４とから構成されている。光送信装置２は、伝送装置送信機５（上位装置）から送信されてきた所定のビットレートの第１の信号光ｐａを、長距離光通信のための所要の波長及び光出力を有する第２の信号光ｐｂに変換し、光ファイバ３（光伝送路）へ送出する。光受信装置４は、光ファイバ３を経由して受信された第２の信号光ｐｂを受信し、伝送装置受信機６（下位装置）の規格に適合した波長及び光出力を有する第３の信号光ｐｃとして送出する。このように、長距離離れた伝送装置送信機５と伝送装置受信機６との間で、光伝送装置１により通信が可能となる。
【０００４】
図６は、図５中の光送信装置２の電気的構成を示すブロック図である。
この光送信装置２は、同図６に示すように、光／電気変換回路１１と、クロックデータ再生回路１２と、分岐回路１３，１４と、電気／光変換回路１５と、信号フレームモニタ回路１６とから構成されている。この光送信装置２では、伝送装置送信機５からの第１の信号光ｐａが光／電気変換回路１１で電気信号ｅａに変換される。電気信号ｅａはクロックデータ再生回路１２に入力され、同クロックデータ再生回路１２からクロック信号ｅｂ及びデータ信号ｅｃが再生される。クロック信号ｅｂ及びデータ信号ｅｃは、それぞれ分岐回路１３，１４を経て電気／光変換回路１５に入力され、同データ信号ｅｃに同クロック信号ｅｂが多重されると共に第２の信号光ｐｂに変換される。また、第１の信号光ｐａは、光／電気変換回路１１でＬＯＳ（Loss of Signal；信号遮断障害）の監視が行われ、クロック信号ｅｂ及びデータ信号ｅｃは、それぞれ分岐回路１３，１４を経て信号フレームモニタ回路１６に入力され、ＬＯＦ（Loss of Frame ；時間的な同期外れ障害）の監視が行われる。
【０００５】
また、伝送装置送信機５及び伝送装置受信機６は、ＳＯＮＥＴ／ＳＤＨ（Synchronous Optical Network ／Synchronous Digital Hierarchy ）の規格に準拠し、たとえばＳＴＭ−１（ビットレート；１５５．５２Ｍｂｐｓの同期転送モジュール）の仕様となっている。また、伝送装置送信機５及び伝送装置受信機６に代えて、たとえば、ＧｂＥ（Gigabit Ethernet（登録商標））の規格に準拠した伝送装置送信機５Ｂ及び伝送装置受信機６Ｂや、ファイバチャネル規格に準拠した伝送装置送信機５Ｃ及び伝送装置受信機６Ｃなどが用いられることもある。図７では、各アプリケーションの規格に対応した信号のビットレート（Ｍｂｐｓ）が示されている。これらの信号のビットレートは、それぞれ異なるため、図５中の光送信装置２及び光受信装置４は、各ビットレートに対応した仕様となっている。
【０００６】
図５の光伝送装置では、伝送装置送信機５から送信される第１の信号光ｐａのビットレートが一種類に決まっているため、ビットレートの異なる信号が入力された場合には、信号フレームモニタ回路１６で不正信号として検出され、伝送装置受信機６に対して第３の信号光ｐｃの送出が停止されるようになっている。つまり、この光伝送装置は、ある特定のビットレートの信号にのみ対応し、異なるビットレートの信号には対応できないという問題点がある。このため、信号フレームモニタ回路１６の機能が削除され、全てのビットレートの信号の伝送に対応できる光伝送装置も製作されている。
【０００７】
上記の光伝送装置の他、従来、この種の技術としては、たとえば、次のような文献に記載されるものがあった。
特許文献１に記載された光中継装置では、メタルケーブルからの電気信号が光信号に変換されて中継されると共に、光ファイバ伝送路からの光信号がメタルケーブルへの電気信号に変換されて中継され、双方向伝送の構成となっている。第１の検出手段により、光ファイバ伝送路からの光信号が障害に起因した無信号状態であるか否かが検出され、無信号状態が検出された場合、第１の送信手段により、情報伝送時には現れない特定の信号が送信される。第２の検出手段により、特定の信号が受信されたか否かが検出される。第２の送信手段により、第２の検出手段の検出に応じて、障害がおきた光ファイバ上にテスト信号が送信される。
【０００８】
特許文献２に記載された光信号監視装置では、上流からの１又は複数の入力光信号が中継されて下流に出力され、入力光信号遮断監視手段により各入力光信号の状態が検出される。この場合、入力光信号を含む所定幅の波長域内の信号成分光強度及び同波長域と同等の所定幅を有して同波長域とは異なる波長域内の自然放出光強度の比により得られる光Ｓ／Ｎ比に基づいて入力光信号の有無が判定される。
【特許文献１】特開平０６−０２１９６０号公報（第２頁、図１）
【特許文献２】特開２００２−０５７６３５号公報（第２頁、図１）
【発明の開示】
【発明が解決しようとする課題】
【０００９】
しかしながら、上記従来の光伝送装置では、次のような問題点があった。
すなわち、全てのビットレートの信号に対応できる光伝送装置では、ビットレートの種類に関わらず、信号を伝送することが可能となる反面、伝送装置送信機５（上位装置）からの第１の信号光ｐａに障害が発生しても検出されず、障害を含む信号が伝送装置受信機６（下位装置）に送出されるという問題点がある。
【００１０】
このため、全てのビットレートの信号の伝送に対応すると共に、各信号に障害が発生しても、障害を全て検出する構成の光伝送装置が提案されている。この光伝送装置では、光送信装置、光ファイバ及び光受信装置が設けられ、同光送信装置で一つの障害に対して一種類の周波数が割り当てられ、複数種類の障害が発生した場合には、複数種類の周波数（たとえば、周波数ｆ０及びｆ１）の信号光が同時に光ファイバを経由して同光受信装置に送出される。光受信装置では、同信号光が光電変換され、フィルタにより周波数ｆ０及び周波数ｆ１の電気信号が個別に取り出され、複数の障害情報が得られる。ところが、この光伝送装置では、光受信装置にフィルタを設ける必要があり、ハード構成の規模が大きいという問題点がある。
【００１１】
また、特許文献１に記載された光中継装置では、無信号状態が検出された場合、情報伝送時には現れない特定の信号が送信され、障害がおきた光ファイバ上にテスト信号が送信される。従って、障害の種類の判定は行われない。また、この発明とは、構成が異なっている。
【００１２】
特許文献２に記載された光信号監視装置は、入力光信号遮断監視手段の構成に特徴を有するものであり、この発明とは、主旨及び構成が異なっている。
【００１３】
この発明は、上述の事情に鑑みてなされたもので、比較的簡単なハード構成で複数の障害情報が得られる光伝送装置を提供することを目的としている。
【課題を解決するための手段】
【００１４】
上記課題を解決するために、請求項１記載の発明は、上位装置から送信されてきた第１の信号光を第２の信号光に変換して光伝送路へ送出する光送信装置と、前記光伝送路を経由して受信された前記第２の信号光を第３の信号光に変換して下位装置へ送出する光受信装置とを備える光伝送装置に係り、前記光送信装置は、前記上位装置から送信されてきた前記第１の信号光に発生した障害を検出すると共に前記第２の信号光の送出を停止する一方、一種類の前記障害又は同時に発生する複数種類の前記障害に対応してそれぞれ設定されている周波数に変調された一種類又は複数種類の障害情報信号光を生成して前記光伝送路へ送出する障害情報送信手段が設けられ、前記光受信装置は、前記光伝送路を経由して前記障害情報信号光を受信したとき、前記第１の信号光に発生した障害の種類を検出すると共に前記下位装置に対する前記各障害情報信号光の送出を停止する障害情報受信手段が設けられていることを特徴としている。
【００１６】
また、請求項２記載の発明は、請求項１記載の光伝送装置に係り、前記障害情報送信手段は、前記上位装置からデータ信号にクロック信号が多重されて送信されてきた前記第１の信号光を第１の電気信号に変換する第１の光／電気変換回路と、前記第１の電気信号から第１のデータ信号及び第１のクロック信号を再生する第１のクロックデータ再生回路と、前記第１の信号光、第１のデータ信号及び第１のクロック信号を監視して、前記障害の種類毎に障害検出信号を出力する障害検出手段と、前記各障害検出信号のうちの一つ又は同時に発生する複数の障害検出信号に対応して、それぞれ異なる周波数の第１の障害情報電気信号を発生する周波数発生回路と、前記各障害検出信号が出力されたとき、前記第１のクロック信号及び前記各第１の障害情報電気信号を通過させる信号通過回路と、該信号通過回路を通過した前記各第１の障害情報電気信号に前記第１のクロック信号を多重すると共に前記各障害情報信号光に変換する第１の電気／光変換回路とから構成され、前記障害情報受信手段は、前記光伝送路を経由して受信された前記各障害情報信号光を第２の障害情報電気信号に変換する第２の光／電気変換回路と、前記第２の障害情報電気信号から第２のクロック信号を再生する第２のクロック再生回路と、前記第２のクロック信号の周波数を検出して該周波数が前記各第１の障害情報電気信号の周波数であるか否かを判定し、該各第１の障害情報電気信号の周波数である場合、第２の障害検出信号を出力する第２の周波数検出回路と、前記第２の障害検出信号が出力されたとき、前記下位装置に対する前記各障害情報信号光の送出を停止する光出力制御回路とから構成されていることを特徴とする。
【００１７】
また、請求項３記載の発明は、請求項２記載の光伝送装置に係り、前記第２の周波数検出回路は、検出された前記第２のクロック信号の周波数に基づいて、前記障害の種類を表す障害判定信号を生成する構成とされ、前記障害情報受信手段に、前記障害判定信号に基づいて前記障害の種類を表示する表示手段が設けられていることを特徴としている。
【００１８】
また、請求項４記載の発明は、障害情報伝送方法に係り、上位装置から送信されてきた第１の信号光を第２の信号光に変換して光伝送路へ送出する光送信装置と、前記光伝送路を経由して受信された前記第２の信号光を第３の信号光に変換して下位装置へ送出する光受信装置とを備える光伝送装置光伝送装置に用いられ、前記光送信装置が、前記上位装置から送信されてきた前記第１の信号光に発生した障害を検出すると共に前記第２の信号光の送出を停止する一方、一種類の前記障害又は同時に発生する複数種類の前記障害に対応してそれぞれ設定されている周波数に変調された一種類又は複数種類の障害情報信号光を生成して前記光伝送路へ送出する障害情報送信処理を行い、前記光受信装置が、前記光伝送路を経由して前記障害情報信号光を受信したとき、前記第１の信号光に発生した障害の種類を検出すると共に前記下位装置に対する前記各障害情報信号光の送出を停止する障害情報受信処理を行うことを特徴としている。
【発明の効果】
【００２０】
この発明の構成によれば、光送信装置の障害情報送信手段により、上位装置から送信されてきた第１の信号光に発生した障害が検出されると共に第２の信号光の送出が停止され、また、障害の種類に対応する周波数に変調された障害情報信号光が生成されて光伝送路へ送出される。光受信装置の障害情報受信手段では、光伝送路を経由して障害情報信号光が受信されたとき、第１の信号光に障害が発生したことが検出されると共に、下位装置に対する同障害情報信号光の送出が停止される。このため、光受信装置では、フィルタにより特定の周波数を取り出す動作を必要としないので、比較的簡単なハード構成で複数の障害情報を得ることができる。
【発明を実施するための最良の形態】
【００２１】
光送信装置で、一種類の障害又は同時に発生する複数種類の障害に対応してそれぞれ設定されている周波数に変調された障害情報信号光を生成し、光受信装置で、同障害情報信号光を受信したとき、同障害情報信号光の下位装置への送出を停止する光伝送装置を提供する。
【実施例】
【００２２】
図１は、この発明の一実施例である光伝送装置の要部の電気的構成を示すブロック図である。
この例の光伝送装置は、同図に示すように、光送信装置２０と、光ファイバ３０と、光受信装置４０とから構成されている。光送信装置２０は、光／電気変換回路２１と、クロックデータ再生回路２２と、分岐回路２３，２４と、周波数検出回路２５と、信号フレームモニタ回路２６と、周波数発生回路２７と、スイッチ回路２８と、電気／光変換回路２９とから構成されている。
【００２３】
光／電気変換回路２１は、上位装置からデータ信号にクロック信号が多重されて送信されてきた第１の信号光ｐａを電気信号ｅａに変換すると共に、同上位装置の故障などによる同第１の信号光ｐａのＬＯＳ（Loss of Signal；信号遮断障害）を検出したとき、障害検出信号ｒを出力する。クロックデータ再生回路２２は、電気信号ｅａからデータ信号ｅｃ及びクロック信号ｅｂを再生する。分岐回路２３は、データ信号ｅｃを信号フレームモニタ回路２６側及びスイッチ回路２８側に分岐する。分岐回路２４は、クロック信号ｅｂを周波数検出回路２５側及び信号フレームモニタ回路２６側に分岐する。
【００２４】
周波数検出回路２５は、たとえば、図示しない周波数／電圧変換回路（Ｆ／Ｖコンバータ）及び電圧検出回路などで構成され、分岐回路２４からのクロック信号ｅｂの周波数を検出して同周波数が予め設定された値であるか否かを判定し、予め設定された値ではない場合、障害検出信号ｈを出力する。この場合、予め設定された周波数は、図７に示す各アプリケーションの規格に対応している。信号フレームモニタ回路２６は、クロック信号ｅｂ及びデータ信号ｅｃを監視し、ＬＯＦ（Loss of Frame ；時間的な同期外れ障害）を検出したとき、障害検出信号ｇを出力する。周波数発生回路２７は、障害検出信号ｒ，ｇ，ｈのうちの一つ又は同時に発生する複数の障害検出信号に対応して、それぞれ異なる周波数の障害情報電気信号ｚを発生する。スイッチ回路２８は、上記各障害検出信号ｒ，ｇ，ｈが出力されていないき、データ信号ｅｃを通過させ、同各障害検出信号ｒ，ｇ，ｈが出力されたとき、同データ信号ｅｃを遮断すると共に、分岐回路２４からのクロック信号ｅｂ及び周波数発生回路２７からの障害情報電気信号ｚを通過させる。
【００２５】
電気／光変換回路２９は、スイッチ回路２８を通過したデータ信号ｅｃにクロック信号ｅｂを多重すると共に第２の信号光ｐｂに変換し、光ファイバ３０へ送出する。また、電気／光変換回路２９は、スイッチ回路２８を通過した障害情報電気信号ｚにクロック信号ｅｂを多重して障害情報信号光ｐｄに変換し、光ファイバ３０へ送出する。
【００２６】
光受信装置４０は、光／電気変換回路４１と、クロックデータ再生回路４２と、分岐回路４３と、周波数検出回路４４と、光出力制御回路４５と、電気／光変換回路４６と、表示部４７とから構成されている。光／電気変換回路４１は、第２の信号光ｐｂを電気信号ｅｍに変換すると共に、障害情報信号光ｐｄを障害情報電気信号ｅｄに変換する。クロックデータ再生回路４２は、電気信号ｅｍからデータ信号ｅｎ及びクロック信号ｅｐを再生すると共に、障害情報電気信号ｅｄからクロック信号ｅｐを再生する。分岐回路４３は、クロック信号ｅｐを分岐する。
【００２７】
周波数検出回路４４は、たとえば、図示しない周波数／電圧変換回路及び電圧検出回路などで構成され、分岐回路４３からのクロック信号ｅｐの周波数を検出して同周波数が各障害情報電気信号ｚの周波数であるか否かを判定し、同各障害情報電気信号ｚの周波数である場合、障害検出信号ｊを出力する。また、周波数検出回路４４は、検出されたクロック信号ｅｐの周波数に基づいて、障害の種類を表す障害判定信号ｋを生成する。光出力制御回路４５は、周波数検出回路４４から障害検出信号ｊが出力されたとき、下位装置に対する各障害情報信号光ｐｄの送出を停止するための停止信号ｑを出力する。電気／光変換回路４６は、光出力制御回路４５からの停止信号ｑにより、第３の信号光ｐｃの送出を停止する。表示部４７は、たとえば液晶表示装置などで構成され、周波数検出回路４４からの障害判定信号ｋに基づいて障害の種類を表示する。
【００２８】
図２は、図１中のクロックデータ再生回路２２の要部の電気的構成を示すブロック図である。
このクロックデータ再生回路２２は、同図２に示すように、増幅回路５１と、フィルタ回路５２と、電圧制御発振器回路５３と、識別再生回路５４とから構成されている。このクロックデータ再生回路２２では、光／電気変換回路２１からの電気信号ｅａが増幅回路５１で増幅され、同増幅回路５１から電気信号ｕが出力される。電気信号ｕは、フィルタ回路５２により平滑化され、同フィルタ回路５２から制御用電圧ｖが出力される。電圧制御発振器回路５３からは、制御用電圧ｖに対応したクロック信号ｅｂが出力される。増幅回路５１からの電気信号ｕは、識別再生回路５４に入力され、クロック信号ｅｂに基づいてデータ信号ｅｃが抽出される。
【００２９】
図３及び図４は、図１の光伝送装置を動作を説明するシーケンス図である。
これらの図を参照して、この例の光伝送装置に用いられる障害情報伝送方法の処理内容について説明する。
この光伝送装置では、光送信装置２０により、上位装置から送信されてきた第１の信号光ｐａに発生した障害が検出されると共に同第１の信号光ｐａの送出が停止される一方、同障害の種類に対応する周波数に変調された障害情報信号光ｐｄが生成されて光ファイバ３０へ送出される。特に、この実施例では、一種類の障害又は同時に発生する複数種類の障害に対応してそれぞれ設定されている周波数に変調された一種類又は複数種類の障害情報信号光ｐｄが生成される（障害情報送信処理）。また、光受信装置４０により、光ファイバ３０を経由して障害情報信号光ｐｄが受信されたとき、第１の信号光ｐａに発生した障害の種類が検出されると共に、下位装置に対する同障害情報信号光ｐｄの送出が停止される（障害情報受信処理）。
【００３０】
すなわち、図３に示すように、フェーズ［１］では、第１の信号光ｐａとして、異常なビットレートの信号が光送信装置２０の光／電気変換回路２１に入力される。フェーズ［２］では、光送信装置２０の周波数検出回路２５でクロック信号ｅｂの異常周波数が検出され、障害検出信号ｈが出力される。フェーズ［３］では、光送信装置２０の電気／光変換回路２９から、周波数ｆ０の障害情報信号光ｐｄが光ファイバ３０へ送出される。フェーズ［４］では、光受信装置４０の周波数検出回路４４でクロック信号ｅｐの周波数ｆ０が検出される。フェーズ［５］では、光送信装置２０で異常なビットレートの信号を検出したことが認識される。ただし、この場合、光送信装置２０の周波数検出回路２５で異常周波数が検出されることにより、ビットレートが異常であることが間接的に検出される。フェーズ［６］では、下位装置に対する出力が停止される。
【００３１】
また、図４に示すように、フェーズ［１］で、上位の伝送装置からの信号の出力の低下などにより、第１の信号光ｐａの光送信装置２０への入力が停止すると、フェーズ［２］では、光送信装置２０の光／電気変換回路２１で入力停止障害が検出され、障害検出信号ｒが出力される。フェーズ［３］では、光送信装置２０の電気／光変換回路２９から、周波数ｆ１の障害情報信号光ｐｄが光ファイバ３０へ送出される。フェーズ［４］では、光受信装置４０の周波数検出回路４４でクロック信号ｅｐの周波数ｆ１が検出される。フェーズ［５］では、光送信装置２０で入力停止障害を検出したことが認識される。フェーズ［６］では、下位装置に対する出力が停止される。
【００３２】
また、信号フレームモニタ回路２６でＬＯＦが検出されたとき、障害検出信号ｇが出力される。そして、光送信装置２０の電気／光変換回路２９から、周波数ｆ２の障害情報信号光ｐｄが光ファイバ３０へ送出され、光受信装置４０の周波数検出回路４４で周波数ｆ２が検出される。光送信装置２０でＬＯＦを検出したことが認識され、下位装置に対する出力が停止される。また、たとえば、障害検出信号ｈと障害検出信号ｇとが同時に出力されたとき、電気／光変換回路２９から、周波数ｆ３の障害情報信号光ｐｄが光ファイバ３０へ送出され、光受信装置４０の周波数検出回路４４で周波数ｆ３が検出される。光送信装置２０で異常なビットレートの信号及びＬＯＦを同時に検出したことが認識され、下位装置に対する出力が停止される。このように、１つの障害に対して一種類の周波数が割り当てられ、また、同時に発生する複数の障害に対しても一種類の周波数が割り当てられ、複数の障害情報が光受信装置４０に伝送される。このとき、周波数検出回路４４により、クロック信号ｅｐの周波数に基づいて障害判定信号ｋが生成され、表示部４７で同障害判定信号ｋに基づいて障害の種類が表示される。
【００３３】
以上のように、この実施例では、光送信装置２０により、上位装置から送信されてきた第１の信号光ｐａに発生した障害が検出されると共に第２の信号光ｐｂの送出が停止され、また、１つの障害に対応する周波数、又は同時に発生する複数の障害に対応する周波数に変調された障害情報信号光ｐｄが生成されて光ファイバ３０へ送出される。光受信装置４０では、光ファイバ３０を経由して障害情報信号光ｐｄが受信されたとき、第１の信号光ｐａに発生した障害の種類が検出されると共に、下位装置に対する同障害情報信号光ｐｄの送出が停止される。このため、光受信装置４０では、フィルタにより特定の周波数を取り出す必要がなく、比較的簡単なハード構成で複数の障害情報が得られる。
【００３４】
以上、この発明の実施例を図面により詳述してきたが、具体的な構成は同実施例に限られるものではなく、この発明の要旨を逸脱しない範囲の設計の変更などがあっても、この発明に含まれる。
たとえば、光ファイバ３０が長さによっては、途中に第２の信号光ｐｂ及び障害情報信号光ｐｄを増幅するための中継増幅器を設けても良い。また、光受信装置４０で障害情報信号光ｐｄを受信したとき、アラーム音が鳴動するようにしても良い。また、上記実施例では、光／電気変換回路２１から障害検出信号ｒ、周波数検出回路２５から障害検出信号ｈ、及び信号フレームモニタ回路２６から障害検出信号ｇが出力されるようになっているが、必要に応じて、たとえば、ＧｂＥ（Gigabit Ethernet（登録商標））信号のＣＶ（Code Violation）異常を検出して障害検出信号を出力する回路などを付加しても良い。
【産業上の利用可能性】
【００３５】
この発明は、上位装置から送信されてきた信号光を下位装置へ伝送する光伝送装置全般に適用できる。
【図面の簡単な説明】
【００３６】
【図１】この発明の一実施例である光伝送装置の要部の電気的構成を示すブロック図である。
【図２】図１中のクロックデータ再生回路２２の要部の電気的構成を示すブロック図である。
【図３】図１の光伝送装置を動作を説明するシーケンス図である。
【図４】図１の光伝送装置を動作を説明するシーケンス図である。
【図５】従来の光伝送装置の構成及び設けられている環境を示す図である。
【図６】図５中の光送信装置２の電気的構成を示すブロック図である。
【図７】各アプリケーションの規格に対応した信号のビットレートを示す図である。
【符号の説明】
【００３７】
２０      光送信装置
２１      光／電気変換回路（第１の光／電気変換回路、障害検出手段の一部）
２２      クロックデータ再生回路（第１のクロックデータ再生回路）
２３，２４      分岐回路
２５      周波数検出回路（障害検出手段の一部）
２６      信号フレームモニタ回路（障害検出手段の一部）
２７      周波数発生回路
２８      スイッチ回路（信号通過回路）
２９      電気／光変換回路
３０      光ファイバ（光伝送路）
４０      光受信装置
４１      光／電気変換回路（第２の光／電気変換回路）
４２      クロックデータ再生回路（第２のクロック再生回路）
４３      分岐回路
４４      周波数検出回路
４５      光出力制御回路
４６      電気／光変換回路（光受信装置の一部）
４７      表示部（表示手段）
【図１】
0004586653.tif 000002
【図２】
0004586653.tif 000003
【図３】
0004586653.tif 000004
【図４】
0004586653.tif 000005
【図５】
0004586653.tif 000006
【図６】
0004586653.tif 000007
【図７】
0004586653.tif 000008